(57)【要約】【課題】簡素な構成で、安価に得られるナット及びナット締め付け具とボルト及びボルト締め付け具を提供する。【解決手段】ナット１は、ボルトに螺合するねじ孔１３を中心部に有し外周に係合部１４を有する環状のナット本体１１と、このナット本体１１の外周との間に環状間隙１５を形成してナット本体１１を囲み、ナット本体１１に対して軸周りに相対回転自在で軸方向相対移動不可能に設けられる空転リング１２とを具備する。このナットの締め付け具２は、ナット本体１１の外周の係合部１４に対して軸方向に相対移動自在で軸周り方向に相対回転不可能に係合する対応係合部２３を内周に有し、環状間隙１５に嵌合可能な係合筒部２１と、この係合筒部２１から半径方向に延出するハンドル２２とを備える。【選択図】図１
2015140821.tif 000002
【特許請求の範囲】
【請求項１】
ボルトの軸部に螺合させるナットと、このナットに係合させてこれを回転操作するための締め付け具とを具備し、
前記ナットは、ボルトに螺合するねじ孔を中心部に有し外周に係合部を有する環状のナット本体と、このナット本体の外周との間に環状間隙を形成してナット本体を囲み、ナット本体に対して軸周りに相対回転自在で軸方向相対移動不可能に設けられる空転リングとを具備し、
前記締め付け具は、前記ナット本体の外周の係合部に対して軸方向に相対移動自在で軸周り方向に相対回転不可能に係合する対応係合部を内周に有し前記環状間隙に嵌合可能な係合筒部と、この係合筒部から半径方向に延出するハンドルとを備えることを特徴とする、ナット及びナット締め付け具。
【請求項２】
前記ナットに着脱自在に嵌合する弾性合成樹脂製のキャップをさらに具備することを特徴とする、請求項１に記載のナット及びナット締め付け具。
【請求項３】
頭部と軸部とを有するボルトと、このボルトの頭部に係合させてボルトを回転操作するための締め付け具とを具備し、
前記ボルトの頭部は、軸部と同心一体で外周に係合部を有する頭部本体と、この頭部本体の外周との間に環状間隙を形成して頭部本体を囲み頭部本体に対して軸周り相対回転自在で軸方向相対移動不可能に設けられる空転リングとを具備し、
前記締め付け具は、前記頭部本体の外周の係合部に対して軸方向に相対移動自在で軸周り方向に相対回転不可能に係合する対応係合部を内周に有し、前記環状間隙に嵌合可能な係合筒部と、この係合筒部から半径方向に延出するハンドルとを備えることを特徴とする、ボルト及びボルト締め付け具。
【請求項４】
前記ボルト頭部に着脱自在に嵌合する弾性合成樹脂製のキャップをさらに具備することを特徴とする、請求項３に記載のボルト及びボルト締め付け具。
【発明の詳細な説明】
【技術分野】
【０００１】
本発明は、ナット及びナット締め付け具並びにボルト及びボルト締め付け具に関する。
【背景技術】
【０００２】
従来、ナット及びナット締め付け具として特許文献１に記載されたものが知られている。ナットは、ボルトに螺合するねじ孔を有するナット本体と、ナット本体の外周側に軸回り相対回転自在、軸方向相対移動不可能に結合されたリングヘッドとを具備する。ナット本体は、ねじ孔を有する突出筒部と、それの基端に形成された鍔状の基部と、突出筒部の外周との間に内側環状間隙を形成してこれを囲むように基部から一体に立ち上がるリテーナ環部とを具備する。リテーナ環部はボール保持孔を有し、これにボールが保持される。リングヘッドは、リテーナ環の外周との間に外側環状間隙を形成してこれを囲むように設けられる。締め付け具は、ナットの内側環状間隙に嵌合する内側係合筒部と、この内側係合筒部と同心一体でナットの外側環状間隙に嵌合する外側係合筒部と、これらの係合筒部から半径方向に延出するハンドルとを具備する。内側係合筒部および外側係合筒部の内周には、それぞれボールを保持する係合溝が形成される。締め付け具の内側係合筒部および外側係合筒部をそれぞれナットの内側環状間隙、外側環状間隙に嵌合させることによって、係合溝にボールを係合させ、ハンドルを握ってナットを回転操作する。
また、ボルト及びボルト締め付け具として、特許文献２に記載されたものが知られている。ボルトの頭部は、軸線に沿って軸部と反対側へ突出する円柱状の中心突起と、この中心突起の外周との間に内側環状間隙を形成してこれを囲むように中心突起と一体に設けられるリテーナ環と、このリテーナ環の外周との間に外側環状間隙を形成してこれを囲むように設けられ、リテーナ環に対して軸回り相対回転自在で軸方向相対移動不可能なリングヘッドとを具備する。リテーナ環はボール保持孔を有し、これにボールが保持される。締め付け具は、ボルト頭部の外側環状間隙に嵌合可能な挿入筒部と、この挿入筒部の内周との間にボルト頭部のリテーナ環を受け入れ可能な環状受入間隙を形成すると共に、内側にボルト頭部の中心突起を受け入れ可能に挿入筒部と同心一体に設けられる係合筒部と、回転操作用のハンドルとを具備する。挿入筒部の外周及び係合筒部の内周には、ボールに係合する軸線方向の係合溝がそれぞれ形成される。締め付け具の挿入筒部及び係合筒部をそれぞれボルトの内側環状間隙、外側環状間隙に嵌合させることによって、係合溝にボールを係合させ、ハンドルを握ってボルトを回転操作する。
【先行技術文献】
【特許文献】
【０００３】
【特許文献１】特開２０１３−１２４７０１号公報
【特許文献２】特開２０１２−２２５４２１号公報
【発明の概要】
【発明が解決しようとする課題】
【０００４】
上記従来のナット及びナット締め付け具、ボルト及びボルト締め付け具のいずれも、ボールを組み込んだ比較的複雑な構成で、製造コストを引き上げる要因となる。したがって、本発明は、より簡素な構成で、安価に得られるナット及びナット締め付け具とボルト及びボルト締め付け具を提供することを目的としている。
【課題を解決するための手段】
【０００５】
以下、添付図面の符号を参照して説明するが、本発明はこれに限定されるものではない。
上記課題を解決するための、本発明のナット１及びナット締め付け具２は、ボルトの軸部に螺合させるナット１と、このナットに係合させてこれを回転操作するための締め付け具２とからなる。このナット１は、ボルトに螺合するねじ孔１３を中心部に有し外周に係合部１４を有する環状のナット本体１１と、このナット本体１１の外周との間に環状間隙１５を形成してナット本体１１を囲み、ナット本体１１に対して軸周りに相対回転自在で軸方向相対移動不可能に設けられる空転リング１２とを具備する。このナットの締め付け具２は、ナット本体１１の外周の係合部１４に対して軸方向に相対移動自在で軸周り方向に相対回転不可能に係合する対応係合部２３を内周に有し、環状間隙１５に嵌合可能な係合筒部２１と、この係合筒部２１から半径方向に延出するハンドル２２とを備える。
上記課題を解決するための、本発明のボルト３及びボルト締め付け具２は、頭部３１と軸部３２とを有するボルト３と、このボルトの頭部３１に係合させてボルト３を回転操作するための締め付け具２とからなる。締め付け具２は、上記ナットの締め付け具と同等のものである。このボルト３の頭部３１は、頭部本体３３と空転リング３４とを具備する。頭部本体３３は、軸部３２と同心一体で外周に係合部３５を有する。空転リング３４は、頭部本体３３の外周との間に環状間隙３６を形成して頭部本体３３を囲み頭部本体３３に対して軸周り相対回転自在で軸方向相対移動不可能に設けられる。
【発明の効果】
【０００６】
本発明のナット及びナット締め付け具、ボルト及びボルト締め付け具は、いずれもより簡素な構成で、安価に得られる。
【図面の簡単な説明】
【０００７】
【図１】本発明に係るナットとナット締め付け具とを係合させた状態の断面図である。
【図２】図１のナットの断面図である。
【図３】図１のナットの平面図である。
【図４】図１のナット締め付け具の断面図である。
【図５】図１のナット締め付け具の底面図である。
【図６】図１のナットにキャップを装着した状態の断面図である。
【図７】本発明に係るボルトとボルト締め付け具とを係合させた状態の断面図である。
【図８】図７のボルトの断面図である。
【図９】図７のボルトの平面図である。
【図１０】図７のボルトにキャップを装着した状態の断面図である。
【発明を実施するための形態】
【０００８】
図面を参照して本発明の実施の形態を説明する。
図１に、ボルトＢの軸部に螺合させるナット１と、このナット１に係合させてこれを回転操作するための締め付け具２とを示す。図１ないし図３において、ナット１は、ナット本体１１と空転リング１２とを具備する。
【０００９】
ナット本体１１は、ボルトＢに螺合するねじ孔１３を中心部に有し、外周に係合部１４を有する環状の部材である。係合部１４は、横断面円弧状で軸方向に延びる複数の係合溝である。
【００１０】
空転リング１２は、ナット本体１１の外周との間に環状間隙１５を形成してナット本体１１を囲み、ナット本体１１に対して軸周りに相対回転自在で軸方向相対移動不可能に結合される。すなわち、空転リング１２は、図において外周がやや上すぼまりの円筒部１６と円筒部１６の基端側に形成される内側フランジ部１７とを具備し、内側フランジ部１７の内周とナット本体１１の基部外周との間にリング１８を介してナット本体１１に結合される。
【００１１】
図１、図４，５に示すように、上記ナット１の締め付け具２は、係合筒部２１と、この係合筒部２１から半径方向に延出するハンドル２２とを備える。
【００１２】
係合筒部２１は、ナット本体１１の外周の係合部１４に対して軸方向に相対移動自在で軸周り方向に相対回転不可能に係合する対応係合部２３である係合溝を内周に有し、ナット本体１１の環状間隙１５に嵌合可能である。すなわち、係合筒部２１は、ハンドル２２に接続される大径の基部２４と、この基部２４に対して内周側及び外周側にそれぞれ段部２５，２６を介して連続する小径の嵌合筒部２７を具備する。嵌合筒部２７の内周側に、ナット本体１１の係合溝１４に対応する横断面形状の軸方向に延びる複数の係合突条２３が形成される。係合部１４，２３は、互いにスプライン嵌合する構造であればよく、本実施形態の構造に限られない。
【００１３】
ナット１を回転操作するときには、ナット１に締め付け工具２を係合させる。締め付け工具２の係合突状２３をナット２の係合溝１４に合わせて嵌合筒部２７を環状間隙１５に嵌合させ、ハンドル２２を握って回転させる。ナット１１をボルトに締め付けた状態において、空転リング１２を工具で挟持して回転させても、ナット本体１１は、回転しないから、ナット１１を緩めることができない。１ナットとその締め付け具２の組み合わせ使用によらなければ、ボルトＢに対するナット１の着脱操作を行うことができず、したがって、無権限者によるナットの着脱操作を効果的に防止することができる。
【００１４】
図６に示すように、所要箇所にナット１を締め付けた後、必要に応じて、ナット１に防塵用のキャップ４１，４２が装着される。
【００１５】
図７に、頭部３１と軸部３２とを有するボルト３と、このボルト３の頭部３１に係合させてボルト３を回転操作するための締め付け具４を示す。図７ないし図９において、ボルトの頭部３１は、頭部本体３３と、空転リング３４とを具備する。
【００１６】
頭部本体３３は、軸部３２と同心一体の円柱状であり、外周に係合部３５を有する。係合部３５は、横断面円弧状で軸方向に延びる複数の係合溝である。
【００１７】
空転リング３４は、頭部本体３３の外周との間に環状間隙３６を形成して頭部本体３３を囲み頭部本体３３に対して軸周り相対回転自在で軸方向相対移動不可能に設けられる。すなわち、空転リング３４は、図において外周がやや上すぼまりの円筒部３７と円筒部３７の基端側に形成される内側フランジ部３８とを具備し、内側フランジ部３８の内周とボルト本体３３の基部外周との間にリング３９を介してボルト本体３３に結合される。
【００１８】
上記ボルト本体３の締め付け具としては、上記ナット１の締め付け具２と同等のものを用いることができる。
【００１９】
ボルト３を回転操作するときには、ボルト３に締め付け工具２を係合させる。締め付け工具２の係合突状２３をボルト３の係合溝３５に合わせて嵌合筒部２１を環状間隙３６に嵌合させ、ハンドル２２を握って回転させる。ボルト３を締め付けた状態において、空転リング３４を工具で挟持して回転させても、ボルト３は、回転しないから、ボルト３を緩めることができない。ボルト３とその締め付け具２の組み合わせ使用によらなければ、ボルト３の着脱操作を行うことができず、したがって、無権限者によるボルトの着脱操作を効果的に防止することができる。
【００２０】
図１０に示すように、所要箇所にボルト３を締め付けた後、必要に応じて、ボルト３に防塵用のキャップ４３が装着される。
【符号の説明】
【００２１】
１    ナット
２    ナット締め付け具
３    ボルト
１１  ナット本体
１２  空転リング
１３  ねじ孔
１４  係合部（係合溝）
１５  環状間隙
１６  円筒部
１７  内側フランジ部
１８  リング
２１  係合筒部
２２  ハンドル
２３  対応係合部（係合突条）
２４  大径部
２５  段部
２６  段部
２７  小径部
３１  ボルトの頭部
３２  軸部
３３  頭部本体
３４  空転リング
３５  係合部（係合溝）
３６  環状間隙
３７  キャップ
３８  内側フランジ部
３９  リング
４１  キャップ
４２  キャップ
４３  キャップ
Ｂ    ボルト
【図１】
2015140821.tif 000003
【図２】
2015140821.tif 000004
【図３】
2015140821.tif 000005
【図４】
2015140821.tif 000006
【図５】
2015140821.tif 000007
【図６】
2015140821.tif 000008
【図７】
2015140821.tif 000009
【図８】
2015140821.tif 000010
【図９】
2015140821.tif 000011
【図１０】
2015140821.tif 000012
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
ボルトの軸部に螺合させるナットと、このナットに係合させてこれを回転操作するための締め付け具とを具備し、
前記ナットは、ボルトに螺合するねじ孔を中心部に有し外周に係合部を有する環状のナット本体と、このナット本体の外周との間に環状間隙を形成してナット本体を囲み、ナット本体に対して軸周りに相対回転自在で軸方向相対移動不可能に設けられる空転リングとを具備し、
前記締め付け具は、前記ナット本体の外周の係合部に対して軸方向に相対移動自在で軸周り方向に相対回転不可能に係合する対応係合部を内周に有し前記環状間隙に嵌合可能な係合筒部と、この係合筒部から半径方向に延出するハンドルとを備え、
前記ナットの係合部又は前記締め付け具の対応係合部の一方は、断面円弧状の軸方向の複数の係合溝であり、他方は係合突条であることを特徴とする、ナット及びナット締め付け具。
【請求項２】
前記ナットに着脱自在に嵌合する弾性合成樹脂製のキャップをさらに具備することを特徴とする、請求項１に記載のナット及びナット締め付け具。
【請求項３】
頭部と軸部とを有するボルトと、このボルトの頭部に係合させてボルトを回転操作するための締め付け具とを具備し、
前記ボルトの頭部は、軸部と同心一体で外周に係合部を有する頭部本体と、この頭部本体の外周との間に環状間隙を形成して頭部本体を囲み頭部本体に対して軸周り相対回転自在で軸方向相対移動不可能に設けられる空転リングとを具備し、
前記締め付け具は、前記頭部本体の外周の係合部に対して軸方向に相対移動自在で軸周り方向に相対回転不可能に係合する対応係合部を内周に有し、前記環状間隙に嵌合可能な係合筒部と、この係合筒部から半径方向に延出するハンドルとを備え、
前記ボルトの係合部又は前記締め付け具の対応係合部の一方は、断面円弧状の軸方向の複数の係合溝であり、他方は係合突条であることを特徴とする、ボルト及びボルト締め付け具。
【請求項４】
前記ボルト頭部に着脱自在に嵌合する弾性合成樹脂製のキャップをさらに具備することを特徴とする、請求項３に記載のボルト及びボルト締め付け具。